(57)【要約】      （修正有）【課題】自電話機が通話中に隣席等の電話機の着信音を自動的に消音する。【解決手段】隣接する複数のＩＰ電話機１の何れか１つのＩＰ電話機１Ａに着信があったときに、隣接設置された他のＩＰ電話機１Ｂ、１Ｃ、１Ｄの内どれか1台でも通話中な場合、ＩＰ電話機１Ａの着信音を鳴動させないように消音自動制御モードとする。また、ＩＰ電話機１Ａ〜１Ｄが全て待機中の場合は、ＩＰ電話機１の着信音を鳴動させることを自動で制御し、この状態を消音自動制御モードとして、ＩＰ電話機の機能として実現させる。【選択図】図１
2019106635.tif 000002
【特許請求の範囲】
【請求項１】
ＩＰ電話システムにおけるＩＰ電話機であって、
自ＩＰ電話機と隣接する他ＩＰ電話機を備え、
前記自ＩＰ電話機は、
他ＩＰ電話機のＩＰアドレスを入力する入力制御部と、前記他ＩＰ電話機のＩＰアドレスおよび前記他ＩＰ電話機の通話状態を対応付けて記憶する状態記憶部と、前記入力制御部および前記状態記憶部を制御する主制御部を備え、
前記主制御部は、
前記他ＩＰ電話機から受信した当該他ＩＰ電話機の通話状態を監視する監視手段と、
前記状態記憶部に予め登録された前記他ＩＰ電話機が通話中の状態で着信を受付けたとき、当該他ＩＰ電話機の着信鳴動を行わないように制御する制御手段を
備えたことを特徴とするＩＰ電話機。
【請求項２】
ＩＰ電話システムにおける管理サーバであって、
隣接する複数のＩＰ電話機を制御する管理サーバは、
電話機データを設定するデータ設定入力部、電話機データを記憶するデータ設定記憶部、ＨＵＢに接続されるＩＰ通信制御部、データ設定入力部、データ設定記憶部、ＩＰ通信制御部、にそれぞれ接続され、各部を制御するサーバ主制御部を備え、
前記サーバ主制御部は、
グループＡに属している第１ＩＰ電話機が通話中のとき、
前記グループＡへの着信があったとき、前記データ設定記憶部のデータを確認し、当該データのグループ電話番号、グループ名、消音設定、通話状態、を参照し、前記グループＡの他の第２ＩＰ電話機に対して、着信音を非鳴動とする信号を発信し、当該第２ＩＰ電話機を非鳴動の着信動作に制御し、
前記グループＡに属している前記第１ＩＰ電話機が通話中に
前記グループＢへの着信があったとき、前記データ設定記憶部のデータを確認し、当該データのグループ電話番号、グループ名、消音設定、通話状態、を参照し、
前記グループＢに属している第３ＩＰ電話機に対して、着信音を鳴動とする信号を発信し、当該第３ＩＰ電話機を鳴動の着信動作に制御する
ことを特徴とする管理サーバ。
【発明の詳細な説明】
【技術分野】
【０００１】
本発明は、ＩＰ電話機および管理サーバに関し、更に詳しくは、例えば、自ＩＰ電話機が通話中に、他ＩＰ電話機に着信があった場合、当該他ＩＰ電話機の着信音を自動的に消音するＩＰ電話機および管理サーバに関する。
【背景技術】
【０００２】
従来の電話機として、特開平１１−２８４７０２号公報（特許文献１）に記載された技術がある。この公報には、「特定の１つのキーが操作されたことを検出する検出手段と、特定の１つのキー操作が検出された場合、通話中か否かを判定する判定手段と、前記判定手段により通話中と判定された時、送話音を遮断する遮断手段と、前記判定手段により通話中以外の動作状態であると判定された時、着信音に関する処理を行う着信音処理手段とを備えることを特徴とする電話機」との記載がある。
【先行技術文献】
【特許文献】
【０００３】
【特許文献１】特開平１１−２８４７０２号公報
【発明の概要】
【発明が解決しようとする課題】
【０００４】
係る特許文献によれば、「ミュート機能及び着信音に関する設定の操作性を向上」することができる。しかし、特許文献１を含め、現行の技術では、自電話機に対しては自由に消音させることができるが、自電話機が通話中に隣席等の電話機の着信音を消音させるには隣席の電話機を手動設定でしか消音できない。
そこで、本発明では、自電話機が通話中に隣席等の他電話機に着信があった場合、その着信音を自動的に消音する技術を提供することを目的とする。
【課題を解決するための手段】
【０００５】
上記課題を解決するために、本発明では、他のＩＰ電話機から受信した通話状態を常に監視し、予め登録された他のＩＰ電話機が通話中の状態で着信を受付けると、当該他のＩＰ電話機の着信鳴動を行わないようにしたものである。
【０００６】
例えば、本発明の代表的なＩＰ電話機の１つは、ＩＰ電話システムにおけるＩＰ電話機であって、自ＩＰ電話機と隣接する他ＩＰ電話機を備え、前記自ＩＰ電話機は、他ＩＰ電話機のＩＰアドレスを入力する入力制御部と、前記他ＩＰ電話機のＩＰアドレスおよび前記他ＩＰ電話機の通話状態を対応付けて記憶する状態記憶部と、前記入力制御部および前記状態記憶部を制御する主制御部を備え、前記主制御部は、前記他ＩＰ電話機から受信した当該他ＩＰ電話機の通話状態を監視する監視手段と、前記状態記憶部に予め登録された前記他ＩＰ電話機が通話中の状態で着信を受付けたとき、当該他ＩＰ電話機の着信鳴動を行わないように制御する制御手段を備えたことを特徴とする。
【０００７】
また、ＩＰ電話システムにおける管理サーバであって、隣接する複数のＩＰ電話機を制御する管理サーバは、電話機データを設定するデータ設定入力部、電話機データを記憶するデータ設定記憶部、ＨＵＢに接続されるＩＰ通信制御部、データ設定入力部、データ設定記憶部、ＩＰ通信制御部、にそれぞれ接続され、各部を制御するサーバ主制御部を備え、前記サーバ主制御部は、グループＡに属している第１ＩＰ電話機が通話中のとき、前記グループＡへの着信があったとき、前記データ設定記憶部のデータを確認し、当該データのグループ電話番号、グループ名、消音設定、通話状態、を参照し、前記グループＡの他の第２ＩＰ電話機に対して、着信音を非鳴動とする信号を発信し、当該第２ＩＰ電話機を非鳴動の着信動作に制御し、前記グループＡに属している前記第１ＩＰ電話機が通話中に前記グループＢへの着信があったとき、前記データ設定記憶部のデータを確認し、当該データのグループ電話番号、グループ名、消音設定、通話状態、を参照し、前記グループＢに属している第３ＩＰ電話機に対して、着信音を鳴動とする信号を発信し、当該第３ＩＰ電話機を鳴動の着信動作に制御することを特徴とする。
【発明の効果】
【０００８】
本発明によれば、自電話機が通話中に隣席等の電話機の着信音を自動的に消音することができる。
【図面の簡単な説明】
【０００９】
【図１】図１は、隣接する複数のＩＰ電話機、管理サーバを含むＩＰ電話システムの構成を示すブロック図である。
【図２】図２は、本発明のＩＰ電話機の構成を示すブロック図である。
【図３】図３は、本発明のＩＰ電話機の状態記憶部に登録されたデータの構成例を示すテーブルである。
【図４】図４は、図２のＩＰ電話機の動作を説明するフローチャートである。
【図５】図５は、本発明の他のＩＰ電話システムの構成を示すブロック図である。
【図６】図６は、マルチキャストグループを使用して図５の各ＩＰ電話機が自動消音制御モードになるまでのシーケンスを示す図である。
【図７】図７は、本発明の管理サーバの構成を示すブロック図である。
【図８】図８は、本発明の管理サーバのデータ設定記憶部に登録された電話機データの構成例を示すテーブルである。
【図９】図９は、消音設定入力画面を示す図である。
【図１０】図１０は、１つのＩＰ電話機が通話中のときに、各グループ電話番号に着信があった時のシーケンスを示す図である。
【発明を実施するための形態】
【００１０】
本発明は、図１に示すような複数のＩＰ電話機１、管理サーバ２、ＨＵＢ（スイッチ）３、ルータ５、インターネット網６を備えたＩＰ電話システム構成において、隣接する複数のＩＰ電話機１の何れか１つのＩＰ電話機、例えば、ＩＰ電話機１Ａに着信があったとき、隣接設置された他のＩＰ電話機１Ｂ、１Ｃ、１Ｄの内どれか1台でも通話中の場合、ＩＰ電話機１Ａの着信音を鳴動させないように制御するものである。また、ＩＰ電話機１が全て待機中の場合は、ＩＰ電話機１の着信音を鳴動させるように自動で制御し、この状態を消音自動制御モードとして、ＩＰ電話機の機能として実現させるものである。
以下、本発明の実施例について図面を参照して説明する。
【実施例１】
【００１１】
本実施例は、図１に示すシステム構成におけるＩＰ電話機１のみで上述した消音自動制御モードの機能を実現する方法である。
【００１２】
図２は、本発明の一実施例を示すＩＰ電話機１（例えば、ＩＰ電話機１Ａ）のブロック図である。
【００１３】
図２において、ＩＰ電話機１（１Ａ〜１Ｄ）は、主制御装置１０１、状態記憶部１０２、ＩＰ通信制御部１０３、ＬＡＮポート１０４、音声入力制御部１０５、マイク１０６、音声出力制御部１０７、スピーカ１０８、キー入力制御部１０９、ダイヤルボタン１１０、ＬＣＤ表示部１１１、１１２、を備えている。
【００１４】
状態記憶部１０２へのデータ登録は、あらかじめＩＰ電話機１のダイヤルボタン１１０からの操作で行う。
ダイヤルボタン１１０から入力されたＩＰ電話機のＩＰアドレスなどはキー制御部１０９を介して主制御部１０１に供給される。
【００１５】
主制御部１０１は、例えば、ＩＰ電話機１Ａに隣接設置されたＩＰ電話機１Ｂ、１Ｃ、１Ｄの状態情報をＨＵＢ（スイッチ）３、ＬＡＮポート１０４を介して定期的に受信し、状態記憶部１０２の通話状態の欄１０２３に通話中、または待機中として保存する。
【００１６】
状態記憶部１０２は、ＩＰ電話機リストを示すテーブルを有する。テーブルは、電話機（ＩＰ電話機１Ｂ、１Ｃ、１Ｄ）、ＩＰアドレス（１９２．１６８．１５１、１９２．１６８．１５２、１９２．１６８．１５３）、通話状態（通話中、待機中）など各情報を登録する欄１０２１、１０２２、１０２３を含む。
【００１７】
また、主制御部１０１は、状態記憶部１０２における各電話機の欄（１０２１）とＩＰアドレスの欄（１０２２）に対して、ＩＰ電話機1Ｂ、１Ｃ、１Ｄの通話状態（１０２３）を更新する。
【００１８】
図３は、隣接設置された複数のＩＰ電話機１の状態記憶部１０２に登録されたデータの構成例を示すテーブルである。
テーブルは、自ＩＰ電話機１Ａ以外の他のＩＰ電話機１Ｂ〜１Ｄが登録される電話機欄１０２１、他のＩＰ電話機１Ｂ〜１ＤのＩＰアドレス「１９２．１６８．１５１」、「１９２．１６８．１５２」、「１９２．１６８．１５３」が登録されるＩＰアドレス欄１０２２、他のＩＰ電話機１Ｂ〜１Ｄの通話状態「通話中」、「待機中」、「待機中」が登録される通話状態欄１０２３、の各データを有する。
【００１９】
図４は、ＩＰ電話機１が消音自動制御モードのときの動作を説明するフローチャートである。図４のフローチャートに基づく動作は、以下のとおりである。
【００２０】
Ｓ３００において、ＩＰ電話機１は、消音自動制御モードのとき、待機中でスタートする。
【００２１】
Ｓ３０１にて、ＩＰ電話機１に着信信号、例えばＩＮＶＩＴＥメソッド受信があった場合（ＹＥＳ）は、Ｓ３０２にて、状態記憶部１０２に登録されているデータを読み取りにいく。
【００２２】
このとき、通話状態（１０２３）が通話中のＩＰ電話機１がある場合（ＹＥＳ）、本例では、ＩＰ電話機１Ｂが通話中の場合であるが、ＩＰ電話機１の着信音は鳴動させない、つまり消音とする（Ｓ３０３ａ）。
【００２３】
Ｓ３０２にて、通話中のＩＰ電話機１がない場合（Ｎｏ）は、ＩＰ電話機１の着信音を鳴動させる（Ｓ３０３Ｂ）。そして、それぞれ、次のＳ３０４に進む。
【００２４】
ここで、Ｓ３０４にて、着信動作中に着信信号が切断された場合（ＹＥＳ）は、待機中（Ｓ３００）に戻る。
Ｓ３０４にて、着信動作中に着信信号が切断されない場合（Ｎｏ）は、Ｓ３０５に進む。
【００２５】
Ｓ３０５にて、オフフックをした場合（ＹＥＳ）は、Ｓ３０６に進み、オフフックをしない場合（Ｎｏ）は、Ｓ３０２に戻る。
【００２６】
Ｓ３０６にて、通話開始になったら、通話を開始する旨の情報を通話開始信号とし、ＩＰ通信で状態記憶部１０２に登録されている他のＩＰ電話機１に送信する（Ｓ３０７）。
このとき、Ｓ３０７にて、対象となるＩＰ電話機１のすべてに対してユニキャスト方式で状態情報を送信し、その後、Ｓ３０８に進む。
【００２７】
Ｓ３０８にて、通話中に他のＩＰ電話機１から通話開始信号、もしくは通話を終了する旨の情報である通話終了信号を受信した場合（ＹＥＳ）は、状態記憶部１０２のデータにおける通話状態（１０２３）を更新し（Ｓ３０９）、Ｓ３１０に進む。
【００２８】
Ｓ３０８にて、通話中に他のＩＰ電話機１から通話開始信号、もしくは通話終了信号を受信しない場合（Ｎｏ）は、Ｓ３１０に進む。
【００２９】
Ｓ３１０にて、オンフックをした場合（ＹＥＳ）は、通話を終了させる（Ｓ３１１）。
Ｓ３１０にて、オンフックをしない場合（Ｎｏ）は、Ｓ３０８に戻り、通話を継続させる。
【００３０】
通話を終了したら、通話終了信号をＩＰ通信で状態記憶部１０２に登録されているＩＰ電話機１に送信する（Ｓ３１２）。その後、待機中（Ｓ３００）に戻る。
【００３１】
Ｓ３０１にて、Ｓ３００のＩＰ電話機１が待機中において着信信号がない場合（Ｎｏ）は、Ｓ３２１に進む。
【００３２】
Ｓ３２１にて、ＩＰ電話機１が待機中から発信信号、例えばＩＮＶＩＴＥメソッドを発信した場合（ＹＥＳ）は、Ｓ３２２に進む。
【００３３】
Ｓ３２２にて、オンフックをせず（Ｎｏ）、Ｓ３２３にて、相手からの応答信号、例えば２００ＯＫを受信した場合（ＹＥＳ）は、通話開始となる（Ｓ３２４）。
【００３４】
Ｓ３２２にて、オンフックをした場合（ＹＥＳ）は、待機中（Ｓ３００）に戻る。
【００３５】
また、Ｓ３２３で相手からの応答信号を受信しない限り（Ｎｏ）は、Ｓ３２２に戻る。
Ｓ３２４にて、通話開始となったらＳ３２５に進み、通話開始信号をＩＰ通信で状態記憶部１０２に登録されている他のＩＰ電話機１に送信する（Ｓ３２５）。そして、次にＳ３２６に進む。
【００３６】
Ｓ３２６にて、通話中に他のＩＰ電話機１から通話開始信号、もしくは通話終了信号を受信した場合は（ＹＥＳ）は、状態記憶部１０２のデータの通話状態（１０２３）を更新して（Ｓ３２７）、次にＳ３２８に進む。
【００３７】
Ｓ３２６にて、通話中に他のＩＰ電話機１から通話開始信号、もしくは通話終了信号を受信しない場合（Ｎｏ）は、Ｓ３２８に進む。
【００３８】
Ｓ３２８にて、オンフックをした場合（ＹＥＳ）は、Ｓ３２９に進み、通話を終了させる（Ｓ３２９）。そして、次にＳ３３０に進む。
【００３９】
オンフックをしない場合（Ｓ３２８、Ｎｏ）は、Ｓ３２６に戻り、通話を継続させる。
【００４０】
通話を終了したら、通話終了信号をＩＰ通信で状態記憶部１０２に登録されているＩＰ電話機１に状態情報を送信する（Ｓ３３０）。その後、待機中（Ｓ３００）に戻る。
【００４１】
Ｓ３０１にて、待機中（Ｓ３００）のＩＰ電話機１が待機中から着信信号を受信しない場合（Ｎｏ）、さらにＳ３２１にて、ＩＰ電話機１が待機中から発信信号を発信しない場合は（Ｎｏ）、Ｓ３３１に進む。
【００４２】
Ｓ３３１にて、他のＩＰ電話機１から通話開始信号、若しくは通話終了信号を受信した場合（ＹＥＳ）は、状態記憶部１０２のデータの通話状態（１０２３）を更新する（Ｓ３３２）。その後、待機中（Ｓ３００）に戻る。
Ｓ３３１にて、他のＩＰ電話機１から通話開始信号、もしくは通話終了信号を受信した場合（ＹＥＳ）は、状態記憶部１０２のデータの通話状態（１０２３）を更新する（Ｓ３３２）。その後、待機中（Ｓ３００）に戻る。
【００４３】
Ｓ３３１にて、他のＩＰ電話機１から通話開始信号、もしくは通話終了信号を受信しない場合（Ｎｏ）は、Ｓ３００に戻り、待機中を継続させる。
【実施例２】
【００４４】
本実施例も、実施例１と同様に電話機のみで上述した機能を実現させる方法であるが、システム構成として図５に示すように消音自動制御をするＩＰ電話機１’（ＩＰ電話機１’Ａ、１’Ｂ、１’Ｃ）をあらかじめマルチキャストグループに登録した場合である。マルチキャストグループは、マルチキャストＩＰアドレス（２２４．１０．１．１）を有する。
【００４５】
図６は、マルチキャストグループに登録されたＩＰ電話機が消音自動制御モードになるときの動作を説明するシーケンス図である。
図６のシーケンスに基づく動作は以下のとおりである。
【００４６】
Ｓ４０１にて、マルチキャストグループに登録されたＩＰ電話機１’Ａを消音自動制御モードへ設定する場合に、（消音自動制御モードに移行させることと自機の情報を含んだ信号を消音自動制御開始信号とし）、消音自動制御開始信号をマルチキャストＩＰアドレス宛に送信する（Ｓ４０２）。
【００４７】
Ｓ４０３、Ｓ４０４、Ｓ４０５にて、消音自動制御開始信号を受信したＩＰ電話機１’Ｂ、１’Ｃ、１’Ｄは、送信元の情報を状態記憶部１０２に登録する。
【００４８】
さらに、Ｓ４０６、Ｓ４０７、Ｓ４０８にて、消音自動制御開始信号を受信した応答として、ＩＰ電話機１’Ｂ、１’Ｃ、１’Ｄは、自機の情報を含んだ消音自動制御応答信号をマルチキャストＩＰアドレス宛に送信する。
【００４９】
消音自動制御応答信号を受信した全てのＩＰ電話機は、送信元の情報を状態記憶部１０２に登録する（Ｓ４０９〜Ｓ４１２）。
【００５０】
これにより、マルチキャストグループの各ＩＰ電話機が消音自動制御モードとなる（Ｓ４１３〜Ｓ４１６）。
【００５１】
消音自動制御モードになったＩＰ電話機の着信音を制御するシーケンスは、図４のフローチャートと同様である。但し、ＩＰ通信方式の宛先ＩＰアドレスがマルチキャスト方式になる。
消音自動制御モードになったＩＰ電話機１’の着信音を制御するシーケンスは、図４のフローチャートと同様である。但し、ＩＰ通信方式の宛先ＩＰアドレスがマルチキャスト方式になる。
【実施例３】
【００５２】
本実施例は、図１に示すシステム構成における管理サーバ２で上述した機能を実現する方法である。即ち、管理サーバ２を利用し、同グループの電話機を自動消音制御させる実現方法である。
【００５３】
図７は、管理サーバ２の構成を示すブロック図である。
管理サーバ２は、サーバ主制御部２０１、データ設定記憶部２０２、データ設定入力部２０３、ＩＰ通信制御部２０４、を有する。
【００５４】
データ設定入力部２０３は、電話機データの消音設定を行う消音設定入力画面を含み、電話機データを設定するものである。データ設定記憶部２０２は、データ設定入力部２０３により入力された電話機データを記憶するものである。ＩＰ通信制御部２０４は、ＨＵＢ（スイッチ）に接続される。サーバ主制御部２０１は、データ設定入力部２０３、データ設定記憶部２０２、ＩＰ通信制御部２０４、にそれぞれ接続され、各部を制御する。
【００５５】
図８は、管理サーバ２のデータ設定記憶部２０２に登録されている電話機データの構成例を示すテーブルである。
【００５６】
テーブルは、図示するように、内線番号（１０１、１０２、１０３、１０４）を登録する内線番号欄２０２０１、グループ電話番号（０３−××××−××××、０３−××××−ＹＹＹＹ）を登録するグループ電話番号欄２０２０２、ダイヤルイン電話番号（０３−××××−１１１１、０３−××××−２２２２、０３−××××−３３３３、０３−××××−４４４４）を登録するダイヤルイン番号欄２０２０３、グループ名（グループＡ、グループＢを登録するグループ名欄２０２０４、消音設定の有無を登録する消音設定欄２０２０５、通話状態（待機中、通話中）を登録する通話状態欄２０２０６を有し、例えば、図示のように各ＩＰ電話機毎（２０２０７〜２０２１０）に記憶する。
【００５７】
グループ電話番号欄２０２０２の電話番号、また、通話状態欄２０２０６の通信状態は各ＩＰ電話機の通話状態が変わるたびに更新される。
【００５８】
図９は、データ設定入力部２０３における消音設定入力画面２０３の一例を示す図であり、グループ名を入力するグループ名欄２０３１、消音設定の有無を入力する消音設定欄２０３２を各グループ名（グループＡ、Ｂ）毎２０３３〜２０３４に設定する。本例では、グループＡは消音「有」、グループＢは消音「無」、を示してある。
【００５９】
係る管理サーバ２の構成において、各々のグループ番号や内線番号に着信があった場合、まずは管理サーバ２に通知される。
【００６０】
管理サーバ２は、データ設定記憶部２０２のデータ、つまり、着信があった番号欄２０２０１、２０２０２、２０２０３の番号とグループ名欄２０２０４のグループ名、消音設定欄２０２０５の消音設定、通話状態欄２０２０６の通話状態を参照して、ＩＰ電話機１側に着信音を鳴動させるか否かの指示情報を含めた着信信号、例えばＩＮＶＩＴＥメソッドを、発信し、ＨＵＢ（スイッチ）３に出力する。上記信号を受信することで電話機は消音自動制御を行うことができる。
【００６１】
ＩＰ電話機１は、この着信信号をＨＵＢ（スイッチ）３を介して受信する。これによりＩＰ電話機１は、消音自動制御を行うことができる。
【００６２】
図１０は、ＩＰ電話機１Ａ、１ＢがグループＡ、ＩＰ電話機１Ｃ、１ＤがグループＢに所属し、ＩＰ電話機１Ｂが通話中のときに、各グループ電話番号に着信があったときの動作を説明するシーケンス図である。
図１０のシーケンスに基づく動作は以下のとおりである。
【００６３】
ＩＰ電話機１Ｂが通話中のとき（Ｓ５０１）、管理サーバ２にグループＡへのグループ着信が通知された場合（Ｓ５０２）、サーバ主制御部２０１は、データ設定記憶部２０２のグループ電話番号欄２０２０２のグループ電話番号とグループ名欄２０２０４のグループ名、消音設定欄２０２０５の消音設定、通話状態欄２０２０６の通話状態を参照する（Ｓ５０３）。
【００６４】
このとき、サーバ主制御部２０１は、グループＡに属しているＩＰ電話機１Ｂの通話中にグループＡへのグループ着信であることを確認し、ＩＰ電話機１Ａに着信音を非鳴動にして着信動作を行うことを指示する信号を発信する（Ｓ５０４）。
【００６５】
ＩＰ電話機１Ａは、管理サーバ２から非鳴動にして着信動作を行う指示を受けると（Ｓ５０４）、着信音非鳴動で着信動作を行う（Ｓ５０５）。
【００６６】
また、ＩＰ電話機１Ｂが通話中に管理サーバ２にグループＢへのグループ着信が通知された場合（Ｓ５０６）、サーバ主制御部２０１は、データ設定記憶部２０２のグループ電話番号欄２０２０２のグループ電話番号とグループ名欄２０２０４のグループ名、消音設定欄２０２０５の消音設定、通話状態欄２０２０６の通話状態を参照する（Ｓ５０７）。
【００６７】
このとき、サーバ主制御部２０１は、グループＡに属しているＩＰ電話機１Ｂの通話中でのグループＢへのグループ着信であることを確認し、ＩＰ電話機１Ｃと１Ｄに対して着信音を鳴動にして着信動作を行うことを指示する信号を発信する（Ｓ５０８）。
【００６８】
ＩＰ電話機１Ｃと１Ｄは、Ｓ５０８における着信動作を行う指示する信号を受けて、着信音鳴動で着信動作を行う（Ｓ５０９、Ｓ５１０）。
【００６９】
以上述べた実施例によれば、通話中に隣接する電話機に着信があっても、隣接する電話機の着信音を自動的に消音することができ、鳴動による通話の邪魔を防止することができる。
【符号の説明】
【００７０】
１、１’（１Ａ、１Ｂ、１Ｃ、１Ｄ、１’Ａ、１’Ｂ、１’Ｃ、１’Ｄ）  ＩＰ電話機
１０１  主制御部
１０２  状態記憶部
１０３  ＩＰ通信制御部
１０４  ＬＡＮポート
１０５  音声入力制御部
１０６  マイク
１０７  音声出力制御部
１０８  スピーカ
１０９  キー入力制御部
１１０  ダイヤルボタン
１１１、１１２  ＬＣＤ表示部
２、２’  管理サーバ
２０１  サーバ主制御部
２０２  データ設定記憶部
２０３  データ設定入力部
２０４  ＩＰ通信制御部
３  ＨＵＢ（スイッチ）
５、５’  ルータ
６、６’  インターネット網
【図１】
2019106635.tif 000003
【図２】
2019106635.tif 000004
【図３】
2019106635.tif 000005
【図４】
2019106635.tif 000006
【図５】
2019106635.tif 000007
【図６】
2019106635.tif 000008
【図７】
2019106635.tif 000009
【図８】
2019106635.tif 000010
【図９】
2019106635.tif 000011
【図１０】
2019106635.tif 000012